(57)【要約】【課題】管継手や枡等の受具に排水や雨水が落下した際に、跳ね上がって散乱したりするのを効果的に防止することができる跳ね上がり防止具の提供を課題とする。またそのような跳ね上がり防止具を装着した管継手及び枡の提供を課題とする。【解決手段】落下してくる水が跳ね上がるのを防止する跳ね上がり防止具１０であって、排水や雨水の落下を受ける管継手や枡等の受け具の上向き開口に対して装着されて使用され、本体１１が逆円錐台形状の断面を有する短筒体からなり、該短筒体の上縁開口１１ａから下縁開口１１ｂまでの傾斜する内面をもって前記受け具の上向き開口を内向き且つ斜め下方に向けて縮小させる水受口１１ｃとすると共に、短筒体の傾斜する外面を前記落下した水の跳ね上がり阻止面１１ｄとして構成した。【選択図】      図１
2010053610.tif 000002
【特許請求の範囲】
【請求項１】
落下してくる水が跳ね上がるのを防止する跳ね上がり防止具であって、排水や雨水の落下を受ける管継手や枡等の受け具の上向き開口に対して装着されて使用され、本体が逆円錐台形状の断面を有する短筒体からなり、該短筒体の上縁開口から下縁開口までの傾斜する内面をもって前記受け具の上向き開口を内向き且つ斜め下方に向けて縮小させる水受口とすると共に、短筒体の傾斜する外面を前記落下した水の跳ね上がり阻止面として構成したことを特徴とする跳ね上がり防止具。
【請求項２】
短筒体の上縁に、受け具の上向き開口に対する装着用の外フランジを設けたことを特徴とする請求項１に記載の跳ね上がり防止具。
【請求項３】
落下してくる水を受け入れる上向き開口を備え、且つ上向き開口から受け入れた水を水平方向に流路変更して横向き接続口に導くようにした管継手であって、前記上向き開口に請求項１に記載の跳ね上がり防止具を装着したことを特徴とする管継手。
【請求項４】
上向き開口に段部を構成し、該段部に対して跳ね上がり防止具の短筒体の上縁に設けた外フランジを着座して嵌め合わせることにより跳ね上がり防止具を装着したことを特徴とする請求項３に記載の管継手。
【請求項５】
上向き開口の段部を介した大径部が延長されて上向き接続口とされていることを特徴とする請求項４に記載の管継手。
【請求項６】
網体を跳ね上がり防止具と共に上向き開口に装着したことを特徴とする請求項３〜５の何れかに記載の管継手。
【請求項７】
請求項３〜６の何れかに記載の管継手を、管継手に代えて枡としたことを特徴とする枡。
【発明の詳細な説明】
【技術分野】
【０００１】
本発明は、排水や雨水が管継手や枡等の受具に落下した際に、跳ね上がって散乱したりするのを防止する跳ね上がり防止具に関する。またその跳ね上がり防止具を装着した管継手及び枡に関する。
【背景技術】
【０００２】
従来、例えば家屋等で生じた排水は、一般に、床下等から地面までの間の狭小スペースで、排水受け具である管継手等により受水され、側方に導かれて敷地外のメインの排水路に導かれるようになっている。
上記家屋等から排出される排水を、狭小スペースで間接排水したい場合、封水空間を設けたトラップや、底部に流出口を備えたドロップタイプの管継手やドロップ枡を用いる方法がある。
しかし前記封水空間を設けたトラップ、ホッパータイプの管継手を用いた場合には、高さが嵩む問題がある。またこのため、配管のレイアウトの自由度が制限されるという問題がある。
一方、高さ低減のため、底面にインバートを備えた排水枡やエルボ形状の背の低い管継手を用いる場合には、上方から落下してきた排水が前記底面に当って跳ね上がり、上方の流入口（受口）から外に飛び跳ねたり、漏れたりする問題があった。
勿論、家屋等からの排水管を、そこからの排水を受ける受け具に対して直結配管する場合には、排水が外部に飛び散ったり漏れたりする問題は生じない。しかし直結配管の場合には、家屋外の排水やその臭い等が家屋内へ逆流するおそれがあり好ましくない。
【０００３】
上記間接排水に関する従来技術として、特開２００７−１８２７４９号公報（特許文献１）、特開平８−１５２１９９号公報（特許文献２）、特開平８−１５２２００（特許文献３）が刊行物として開示されている。
前記特許文献１の発明は間接排水用器具に関し、配管（１２）の先端と排水受け（１６）との間に目皿（１８）による排水口空間が設けられ、前記排水受け（１６）には接続口（３０）が側壁に設けられ、仕切板（２８）が内部に設けられた構成が開示されている。
また前記特許文献２、３の発明は、電気温水器の排水構造に関し、排水パイプ（２）と該排水パイプ（２）から落下してくる排水を受けるホッパー（３）、（９）とが空間を介して、相互に所定位置に位置決めされる構成が開示されている。
一方、集水漏斗（２８）を用いた排水設備として、特開平１１−２１９８９号公報（特許文献４）が開示されている。
この特許文献４の発明は防護蓋（１５）と雨水枡（２）とを組合せた排水設備に関し、雨水が流れ込む防護蓋（１５）に集水漏斗（２８）を設けた構成が開示されている。
【特許文献１】特開２００７−１８２７４９号公報
【特許文献２】特開平８−１５２１９９号公報
【特許文献３】特開平８−１５２２００号公報
【特許文献４】特開平１１−２１９８９号公報
【発明の開示】
【発明が解決しようとする課題】
【０００４】
上記特許文献１の発明は、容器状の排水受け（１６）を地面に埋めて配置しているが、排水受け（１６）の高さ方向の寸法が嵩む問題がある。
上記特許文献２、３の発明は、底を流出口としたドロップタイプのホッパーを用いており、やはり高さ方向の寸法が嵩む問題がある。
また上記特許文献４の発明において用いられている集水漏斗（２８）は、雨水が落下する側である防護蓋側に取り付けられるものであって、落下する雨水を中央側に集める役割を果たすものの、落下した水の跳ね上がりを防止するような機能を備えているわけではなく、またそのような機能乃至作用を示唆するものでもない。
【０００５】
そこで本発明は、上記従来における問題を解消し、管継手や枡等の受具に排水や雨水が落下した際に、跳ね上がって散乱したりするのを効果的に防止することができる跳ね上がり防止具の提供を課題とする。またそのような跳ね上がり防止具を装着した管継手及び枡の提供を課題とする。
【課題を解決するための手段】
【０００６】
上記課題を達成するため、本発明の跳ね上がり防止具は、落下してくる水が跳ね上がるのを防止する跳ね上がり防止具であって、排水や雨水の落下を受ける管継手や枡等の受け具の上向き開口に対して装着されて使用され、本体が逆円錐台形状の断面を有する短筒体からなり、該短筒体の上縁開口から下縁開口までの傾斜する内面をもって前記受け具の上向き開口を内向き且つ斜め下方に向けて縮小させる水受口とすると共に、短筒体の傾斜する外面を前記落下した水の跳ね上がり阻止面として構成したことを第１の特徴としている。
また本発明の跳ね上がり防止具は、上記第１の特徴に加えて、短筒体の上縁に、受け具の上向き開口に対する装着用の外フランジを設けたことを第２の特徴としている。
また本発明の管継手は、落下してくる水を受け入れる上向き開口を備え、且つ上向き開口から受け入れた水を水平方向に流路変更して横向き接続口に導くようにした管継手であって、前記上向き開口に上記第１の特徴に記載の跳ね上がり防止具を装着したことを第３の特徴としている。
また本発明の管継手は、上記第３の特徴に加えて、上向き開口に段部を構成し、該段部に対して跳ね上がり防止具の短筒体の上縁に設けた外フランジを着座して嵌め合わせることにより跳ね上がり防止具を装着したことを第４の特徴としている。
また本発明の管継手は、上記第４の特徴に加えて、上向き開口の段部を介した大径部が延長されて上向き接続口とされていることを第５の特徴としている。
また本発明の管継手は、上記第３〜第５の特徴の何れかに加えて、網体を跳ね上がり防止具と共に上向き開口に装着したことを第６の特徴としている。
また本発明の枡は、上記第３〜第６の特徴の何れかに記載の管継手を、管継手に代えて枡としたことを第７の特徴としている。
【発明の効果】
【０００７】
請求項１に記載の跳ね上がり防止具によれば、該跳ね上がり防止具を排水や雨水の落下を受ける管継手や枡等の受け具の上向き開口に装着することができる。装着した状態においては、逆円錐台形状の断面を有する短筒体からなる本体の傾斜する内面が、受け具の上向き開口を内向き且つ斜め下方に向けて縮小させる水受口となることができる。よって落下してくる水は、受け具の上向き開口を最大水受口として広い面積で漏れなく受け入れられると共に、前記水受口の窄まった口から受け具内に確実に入ることができる。
加えて、跳ね上がり防止具が受け具の上向き開口に装着された状態では、逆円錐台形状の断面を有する短筒体からなる本体の傾斜する外面が、一旦受け具内に落下した水に対する跳ね上がり阻止面となり、跳ね上がりによる排水等の飛び散りや溢れ或いは逆流を防ぐことができる。
よって本発明による跳ね上がり防止具によれば、管継手や枡等の受け具の上向き開口を狭めることなく、必要な跳ね上あがり阻止面を確保して、排水等の跳ね上がりによる飛び散りや溢れ、逆流を防ぐことができる。しかも跳ね上がり防止具を別体として構成しているため、管継手や枡等の受け具にはそのような跳ね上がり防止手段を当初から一体的に構成する必要がなく、構成が複雑となることによる製造上の問題やコスト上の問題も回避できる。
【０００８】
請求項２に記載の跳ね上がり防止具によれば、上記請求項１の構成による効果に加えて、短筒体の上縁に、受け具の上向き開口に対する装着用の外フランジを設けたので、排水や雨水の落下を受ける管継手や枡等の受け具の上向き開口の段差部分等に、外フランジを取り付け、固定することで、跳ね上がり防止具を容易、簡単に装着することができる。
【０００９】
請求項３に記載の管継手によれば、落下してくる水を受け入れる上向き開口を備え、且つ上向き開口から受け入れた水を水平方向に流路変更して横向き接続口に導くようにした管継手であって、前記上向き開口に請求項１に記載の跳ね上がり防止具を装着したので、
上向き開口から受け入れた落下水を水平方向に流路変更して横向きの接続口から流出させるようにした管継手を用いることで、高さを低く抑えつつ、落下してくる水を受け入れて側方に導くことができる。加えて、高さ低減による落下水の跳ね上がりによる飛び散りや溢れに対する対策として、請求項１に記載の跳ね上がり防止具を装着しているので、該跳ね上がり防止具の逆円錐台形状断面を有する短筒体の内面が水受口となって、落下してくる水を確実に管継手内に受け入れることができると共に、短筒体の外面が管継手内に受け入れた水に対する跳ね上がり阻止面となり、跳ね上がりによる排水等の飛び散りや溢れ或いは逆流を防ぐことができる。
よって請求項３の管継手によれば、高さ方向の寸法を低くして、しかも落下してくる排水や雨水を確実に受け取って、跳ね上がりや飛び散り、溢れ、逆流を防止しながら、側方へ速やかに流路変更して流出させることができる。
【００１０】
請求項４に記載の管継手によれば、上記請求項３に記載の管継手の構成による効果に加えて、上向き開口に段部を構成し、該段部に対して跳ね上がり防止具の短筒体の上縁に設けた外フランジを着座して嵌め合わせることにより跳ね上がり防止具を装着したので、
別体として構成した跳ね上がり防止具を、簡単、容易に装着して管継手の一部として機能させることができる。
【００１１】
請求項５に記載の管継手によれば、上記請求項４に記載の構成による効果に加えて、上向き開口の段部を介した大径部が延長されて上向き接続口とされているので、
上向き接続口に対して排水管や雨水管等の管を直接接続させることができる。これによって、排水管や雨水管等の管内を落下してくる排水や雨水等の水を連続した管内で受け取ることができる。
また排水管や雨水管等の管を請求項４の管継手に接続する際には、管継手の上向き開口の段部に跳ね上がり防止具の外フランジを着座して嵌め合わせ、更に接続すべき管を上向き接続口に前記外フランジに達するまで嵌入することで、跳ね上がり防止具を、管の接続を利用して、簡単、容易に確実に装着することができる。
【００１２】
請求項６に記載の管継手によれば、上記請求項３〜５の何れかに記載の構成による効果に加えて、網体を跳ね上がり防止具と共に上向き開口に装着したことにより、
管継手内に落下した排水や雨水等の水の跳ね上がり防止効果をより高めることができる。勿論、異物の混入を防止することができる。
【００１３】
請求項７に記載の枡によれば、請求項３〜６の何れかに記載の管継手に代えて枡としたので、排水や雨水の落下を受ける枡として、且つ請求項１に記載の跳ね上がり防止具を装着した枡として、高さ方向の寸法を低くして、しかも落下してくる排水や雨水を確実に受け取って、跳ね上がりや飛び散り、溢れ、逆流を防止しながら、側方へ速やかに流路変更して流出させることができるものを提供することができる。
【発明を実施するための最良の形態】
【００１４】
以下の図面を参照して、本発明の実施形態を詳細に説明する。
図１は本発明の実施形態に係る跳ね上がり防止具を示し、（Ａ）は平面図、（Ｂ）は縦断面図である。図２は網体を示し、（Ａ）は平面図、（Ｂ）は縦断面図である。図３は本発明の実施形態に係る管継手の平面図、図４は図３のＡ−Ａ断面図、図５は図３のＢ−Ｂ断面図である。図６は使用状態を説明する図である。
【００１５】
先ず図１を参照して、本発明の跳ね上がり防止具１０は、本体１１と外フランジ１２とからなる。この跳ね上がり防止具１０は、例えば樹脂材料で構成することができる。勿論、金属材料で構成することも可能である。
前記本体１１は、逆円錐台形状の断面を有する短筒体からなる。
この本体（短筒体）１１の上縁開口１１ａから下縁開口１１ｂまでの傾斜する内面を水受口１１ｃとしている。この水受口１１ｃは、跳ね上がり防止具１０が後述する受け具３０、４０、５０の上向き開口３１、４１、５１に装着されたときに、受け具３０、４０、５０の上向き開口３１、４１、５１を内向き且つ斜め下方に向けて縮小させる、即ち窄めるものである。
一方、前記短筒体である本体１１の上縁開口１１ａから下縁開口１１ｂまでの傾斜する外面を跳ね上がり阻止面１１ｄとしている。この跳ね上がり阻止面１１ｄは、後述する受け具３０、４０、５０に落下した水が跳ね上がって散乱したり、溢れたりするのを阻止し、また逆流するのを阻止するためのものである。
なお前記符号３０で示す受具は、図３〜図６に示す管継手３０としての受具である。また前記符号４０で示す受具は、図７に示す管継手４０としての受具である。更に前記符号５０で示す受具は、図８に示す枡としての受具である。
【００１６】
短筒体からなる本体１１の傾斜角度（水平面に対する）は６０度を中心とした上下１０度ぐらいの範囲、即ち５０〜７０度の傾斜角度が好ましい。水受口１１ｃの傾斜角度が５０度未満となる場合には、水受口１１ｃに落下してきて当った水が跳ね上がって散乱しやすくなる。一方、跳ね上がり阻止面１１ｄの傾斜角度が７０度を超えると、一旦受け具３０、４０、５０内へ入った水が跳ね上がって散乱するのを阻止し難くなり、また逆流して溢れたりするのを阻止し難くなる。
【００１７】
前記跳ね上がり防止具１０の下縁開口１１ｂの大きさは、排水や雨水が排水管や雨水管の落下口から空間を介して落下してくる場合には、その排水管や雨水管の落下口が丁度入る程度の大きさとする。例えば図１の（Ａ）に示すように、３つの落下口ｄが束となっている場合は、その３つの落下口ｄの束が丁度入るような下縁開口１１ｂの大きさとする。
一方、跳ね上がり防止具１０の上縁開口１１ａの大きさは、受け具３０、４０、５０の上向き開口の大きさに合わせることができる。
【００１８】
前記外フランジ１２は、本体１１の上縁開口１１ａから側方へ出っ張って形成された一体物である。この外フランジ１２を受け具３０、４０、５０の上向き開口に着座させることで、受け具３０、４０、５０に跳ね上がり防止具１０を装着させる。
外フランジ１２の周縁の数箇所に突起部１２ａが設けられている。この突起部１２ａは、跳ね上がり防止具１０が受け具３０、４０、５０に装着された際の回転を防止するためのものである。
【００１９】
図２に網体２０を示す。網体２０は前記跳ね上がり防止具１０に併せて用いることができる部材である。受け具３０、４０、５０に対して跳ね上がり防止具１０と共に装着される。網体２０は、例えば樹脂材料で構成することができるが、金属材料で構成してもよい。
網体２０は、網部２１と、周縁枠部２２とからなる。網部２１の寸法は跳ね上がり防止具１０の上縁開口１１ａの寸法と略同一とする。また周縁枠部２２の寸法は跳ね上がり防止具１０の外フランジ１２と略同一としている。網部２１は異物の通過を防止する役割を果たす。また周縁枠部２２は跳ね上がり防止具１０の外フランジ１２の上に重ねて載置される。
【００２０】
図３〜図５に跳ね上がり防止具１０を備えた受具としての管継手３０を示す。この管継手３０は、排水管や雨水管から落下する排水や雨水をその下で受ける受具としての役割を果たす。
この管継手３０はエルボ形状に構成された管継手で、その上向き開口３１に跳ね上がり防止具１０と網体２０を装着している。
前記管継手３０の前記上向き開口３１に対して、そこからの流路を９０度変更して水平方向に開口する横向き接続口３２が設けられている。
上向き開口３１は、上方の図示しない排水管の落下口や雨水管の落下口に対して、空間を介して、下から口を開けた状態に配置される。この上向き開口３１には管が接続されることはない。一方、横向き接続口３２には図示しない配管が接続され、管継手３０内に受け入れた排水や雨水を前記横向き接続口３２を介して下流の流路に導く。
前記上向き開口３１の下方は半球形状の凹部からなるインバート面３３とされており、その一側壁に横向き接続口３２が開口されている。上向き開口３１の開口は落下水の受口として、その寸法が大きいのに比して、横向き接続口３２の開口は下流配管との接続を行うだけであるので寸法が小さい。
落下してくる排水や雨水は上向き開口３１から管継手３０内に受け入れられ、垂直方向から水平方向へと流路を変更されたのち、横向き接続口３２へ向かう。
【００２１】
前記上向き開口３１には段部３１ａが形成されている。この段部３１ａを介して、それより上の大径部が開口縁部３１ｂとして拡開されている。
前記開口縁部３１ｂには、その一部に切欠き３１ｃが設けられている。また開口縁部３１ｂには、その内壁面の複数個所に嵌合凹所３１ｄを設けている。
前記上向き開口３１の開口縁部３１ｂに対して跳ね上がり防止具１０の外フランジ１２が嵌め込まれ、段部３１ａに着座する。その際、跳ね上がり防止具１０の突起部１２ａを開口縁部３１ｂの嵌合凹所３１ｄに嵌め合わせることで、跳ね上がり防止具１０の回転が防止され、堅固な着座固定状態となる。
前記網体２０は、着座された跳ね上がり防止具１０の上から、更に開口縁部３１ｂに嵌め込まれ、跳ね上がり防止具１０の上に着座する。
前記網体２０や跳ね上がり防止具１０を取り外す場合は、前記開口縁部３１ｂに設けた切欠き３１ｃに、ドライバー等の工具の先端を差し込んで、跳ね上がり防止具１０の外フランジ１２を上方に押し上げることにより、網体２０や跳ね上がり防止具１０を持ち上げる。これによって容易に取り外しができ、メンテナンスに供することができる。
【００２２】
管継手３０の外底部には、設置用の脚３４を設けることができる。脚３４を設けることで、排水、雨水の落下地点に接地した状態で、安定して管継手３０を設置することができる。
また前記脚３４に所望長さのパイプを接続することで、管継手３０の高さを調節することもできる。
【００２３】
図６を参照して、管継手３０の実際の使用例を説明する。この使用例では、エコ給湯システムと称されるヒートポンプ方式の給湯器から排水される水を受ける受け具として、管継手３０が接地して配置されている。この管継手３０には、跳ね上がり防止具１０と網体２０とが装着されている。
エコ給湯器のタンク１は敷地内の家屋内、外等の家屋付近に設けられ、排水管（排水ホース）１ａがタンク１の底から垂下して設けられている。この排水管１ａは、例えばそれぞれが異なる排水役割をもつ３本の管の束とされている。
一方、図１の（Ａ）に示すように、受け具としての管継手３０に装着された跳ね上がり防止具１０の下縁開口１１ｂは、その開口寸法内に前記３本の排水管１ａの各落下口ｄが略収まるように、開口寸法が設計されている。
管継手３０の横向き接続口３２に、排水を敷地外に運ぶ導出管２が接続されている。
管継手３０はタンク１の排水管１ａの下方に、空間を介して間接配置される。排水管１ａから落下する排水は、その主たる部分が跳ね上がり防止具１０の下縁開口１１ｂから管継手３０内に直接的に入る。
落下する排水の幾らかは跳ね上がり防止具１０の内面の水受口１１ｃ上に落下し、下縁開口１１ｂに案内されて、管継手３０内に入る。このとき、水受口１１ｃの傾斜角度が５０度以上とされることで、水受口１１ｃに落下した水の上方への跳ね上がりが抑制され、速やかに下縁開口１１ａに導かれる。結果として外方への散乱が抑制される。
前記一旦管継手３０内に入った水は、管継手３０の比較的浅い底で跳ね上がったり、水位が増した際に前記下縁開口３０から更に水位上昇して、管継手３０外に散乱或いは溢れようとするが、跳ね上がり防止具１０の跳ね上がり阻止面１１ｄにより阻止される。このとき、跳ね上がり阻止面１１ｄの傾斜角度を７０度以下とすることで、管継手３０の底から跳ね上がってきた水の飛び出しをより広い面積で阻止し、また管継手３０内での水位の上昇の勢いをより広い面積で阻止する。結果として、管継手３０から外部への水の散乱を防ぎ、また逆流して溢れたりするのを防ぐことができる。
また網体２０を併せて装着することで、異物が管継手３０内に混入するのを防止すると共に下方からの跳ね上がり水の阻止にも一役買うことができる。
【００２４】
図７に本発明の実施形態に係る跳ね上がり防止具を備えた受け具としての管継手の他の例を示す。
この管継手４０も、排水管や雨水管から落下する排水や雨水をその下で受ける受具としての役割を果たす。
この管継手４０は、いわゆるエルボ型管継手である。２つの接続口の一方を上向きに配置することで、上向き開口４１とすることができる。この場合、他方は横向き接続口４２となる。
この管継手４０の場合は、上向き開口４１の段部４１ａを介した大径部を延長して上向き接続口４１ｂとしている。
前記上向き接続口４１ｂには、図面上において２点鎖線で示すように、排水或いは雨水を落下搬送する管３と直結される。また前記横向き接続口４２には、同様に２点鎖線で示すように、排水或いは雨水を更に敷地外へ運ぶ導出管４と接続される。
即ち、この管継手４０の場合は、落下してくる排水や雨水を下方で受ける受け具ではあるが、外気を介することなく、排水や雨水の落下を導く管と直結された状態で使用される。
前記上向き開口４１から横向き接続口４２に至る管継手４０の本体部分の流路は、円弧状曲面からなるインバート面４３からなっている。
管継手４０の前記上向き開口４１の段部４１ａに対して、跳ね上がり防止具１０の外フランジ１２が着座され、更にその上から管３が上向き接続口４１ｂに嵌合接続されることで、跳ね上がり防止具１０が固定状態に装着される。
この管継手４０の場合は、網体２０は装着されていないが、勿論、異物の混入防止用のフィルターとして装着してもよい。
【００２５】
管３から落下してくる排水或いは雨水は、跳ね上がり防止具１０を経て、管継手４０内に入る。このとき管継手４０内の湾曲面等で跳ね返る水は、跳ね返り防止具１０によって上方に跳ね上がるのを阻止される。また管継手４０内に落下した水が水位を上昇させる勢いを弱め、その結果、管継手４０から管３側への逆流するのを防ぐことができる。
【００２６】
図８に本発明の実施形態に係る跳ね上がり防止具を備えた受け具としての枡を示す。図８の（Ａ）は枡の縦断面図で、（Ｂ）は枡の横断面図である。
この枡５０も、排水管や雨水管から落下する排水や雨水をその下で受ける受具としての役割を果たす。
この枡５０は、上から落下してくる排水や雨水を受け取るための受け具として、上向き開口５１と、流路を構成する左右の横向き接続口５２、５３を備えている。上向き開口５１は左右の横向き接続口５２、５３に構成される流路に比べて大径に拡開されて開口されている。
前記上向き開口５１は、その段部５１ａを介した大径部を延長した形で、更に上向き接続口５１ｂに構成している。
前記上向き接続口５１ｂに対して、枝管流入口が設けられた立て管（点検筒）等が直に接続される。また前記横向き接続口５２、５３には、それぞれ図示しない別の管が接続される。
即ち、この枡５０の場合も、上記の管継手４０の場合と同様に、落下してくる排水や雨水を下方で受ける受け具ではあるが、外気を介することなく、排水や雨水の落下を導く管と直結された状態で使用される。
勿論、前記枡５０の上向き開口５１には、必ずしも前記上向き接続口５１ｂを設ける必要はない。上向き接続口５１ｂを設けることなく、落下してきた排水や雨水を空間を経て間接的に受けるようにしてもよい。
枡５０の前記上向き開口５１の段部５１ａに対して、跳ね上がり防止具１０の外フランジ１２が着座され、更にその上から図示しない管が上向き接続口５１ｂに嵌合接続されることで、跳ね上がり防止具１０が固定状態に装着される。
勿論、網体２０も跳ね上がり防止具１０と共に装着することができる。
落下してくる排水或いは雨水は、跳ね上がり防止具１０を経て、枡５０内に入る。この枡５０内から跳ね上がってくる水は、跳ね返り防止具１０によって阻止される。また枡５０内を流れる水の水位が上昇する勢いを跳ね返り防止具１０が弱め、その結果、枡５０内から上向き開口５１側への逆流、溢れを防ぐことができる。
【００２７】
なお上記した実施形態において、上向き開口３１、４１、５１で具体的に示した上向き開口は、受口構造に限らず、跳ね上がり防止具を取り付け可能な形状を備えた差口構造であってもよい。
また図７、図８に示す管継手４０や枡５０において、上向き開口４１、５１は接着受口に限らず、いわゆるゴム輪受口であってもかまわない。
また管継手４０や枡５０において、跳ね上がり防止具１０の外フランジ１２と上向き接続口４１ｂ、５１ｂとの間にパッキンを挟み込むことにより、跳ね上がり防止具１０の周囲に止水性を持たせてもよい。
【図面の簡単な説明】
【００２８】
【図１】本発明の実施形態に係る跳ね上がり防止具を示し、（Ａ）は平面図、（Ｂ）は縦断面図である。
【図２】網体を示し、（Ａ）は平面図、（Ｂ）は縦断面図である。
【図３】本発明の実施形態に係る管継手の平面図である。
【図４】図３のＡ−Ａ断面図である。
【図５】図３のＢ−Ｂ断面図である。
【図６】使用状態を説明する図である。
【図７】本発明の実施形態に係る管継手の他の例を示す断面図である。
【図８】本発明の実施形態に係る枡を示し、（Ａ）は縦断面図、（Ｂ）は横断面図である。
【符号の説明】
【００２９】
１        エコ給湯器
１ａ      排水管
２        導出管
３        管
４        導出管
１０      跳ね上がり防止具
１１      本体
１１ａ    上縁開口
１１ｂ    下縁開口
１１ｃ    水受口
１１ｄ    跳ね上がり阻止面
１２      外フランジ
１２ａ    突起部
２０      網体
２１      網部
２２      周縁枠部
３０      管継手
３１      上向き開口
３１ａ    段部
３１ｂ    開口縁部
３１ｃ    切欠き
３１ｄ    嵌合凹所
３２      横向き接続口
３３      インバート面
３４      脚
４０      管継手
４１      上向き開口
４１ａ    段部
４１ｂ    上向き接続口
４２      横向き接続口
４３      インバート面
５０      枡
５１      上向き開口
５１ａ    段部
５１ｂ    上向き接続口
５２      横向き接続口
５３      横向き接続口
ｄ        落下口
【図１】
2010053610.tif 000003
【図２】
2010053610.tif 000004
【図３】
2010053610.tif 000005
【図４】
2010053610.tif 000006
【図５】
2010053610.tif 000007
【図６】
2010053610.tif 000008
【図７】
2010053610.tif 000009
【図８】
2010053610.tif 000010